(57)【要約】      （修正有）【課題】オゾン層保護、地球温暖化防止の観点から、擬似共沸冷媒であるフロンを再利用するために、冷媒の組成等の品質基準を確保出来る冷媒回収再利用方法及び再利用装置を提供する。【解決手段】回収対象冷媒が封入されている容器（４）に冷媒回収口（５）を介して接続された回収ポンプ（１１）と、この回収冷媒を液化させる冷却手段（１６）と、液化した冷媒を一時保管する貯蔵タンク（１７）と、バージン冷媒を貯蔵するバージン冷媒タンク（２１）と、冷媒封入対象製品（２５）に冷媒を封入する冷媒封入器（２３）とを有し、前記貯蔵タンク（１７）と前記冷媒封入機（２３）との間に設けられたバルブ（２０）と、前記バージン冷媒タンク（２１）と前記冷媒封入機（２３）との間に設けられたバルブ（２２）とを備えた。【選択図】  図１
2004177069.tif 000002
【特許請求の範囲】
【請求項１】
回収対象冷媒が封入された容器に接続する冷媒回収口と、この回収対象冷媒が封入された容器から回収された冷媒を貯蔵する回収冷媒貯蔵タンクと、バージン冷媒を貯蔵するバージン冷媒貯蔵タンクとを有し、冷媒封入対象製品に対して、前記回収冷媒貯蔵タンクからの冷媒のみを封入するか、前記回収冷媒貯蔵タンクからの冷媒及び前記バージン冷媒貯蔵タンクからの冷媒を封入するか、前記バージン冷媒貯蔵タンクからの冷媒のみを封入するか選択可能な回収冷媒再利用方法。
【請求項２】
回収対象冷媒が封入された容器に接続する冷媒回収口と、この回収対象冷媒が封入された容器から回収された冷媒を貯蔵する回収冷媒貯蔵タンクと、バージン冷媒を貯蔵するバージン冷媒貯蔵タンクとを有し、冷媒封入対象製品に対して、前記回収冷媒貯蔵タンク及び前記バージン冷媒貯蔵タンクの少なくとも一方の冷媒を封入する手段を備えた回収冷媒再利用装置。
【請求項３】
回収対象冷媒が封入されている容器に冷媒回収口を介して接続された回収ポンプと、この回収冷媒を液化させる冷却手段と、液化した冷媒を一時保管する貯蔵タンクと、バージン冷媒を貯蔵するバージン冷媒タンクと、冷媒封入対象製品に冷媒を封入する冷媒封入器とを有し、前記貯蔵タンクと前記冷媒封入機との間に設けられたバルブと、前記バージン冷媒タンクと前記冷媒封入機との間に設けられたバルブとを備えた回収冷媒再利用装置。
【請求項４】
請求項３において、前記回収対象冷媒が封入されている容器から冷媒を吸引するポンプと、この回収された冷媒を一時貯蔵するための貯蔵タンクに冷媒を供給する為のポンプとを前記冷媒回収口から前記貯蔵タンクに至る経路に配置した回収冷媒再利用装置。
【請求項５】
請求項３において、前記冷媒回収口に接続された真空ポンプと、この真空ポンプと前記冷媒回収口との間に設けられた真空経路側バルブと、前記冷媒回収口と前記回収ポンプとの間に設けられた回収経路側バルブとを有し、回収対象冷媒が封入されている容器を前記冷媒回収口に接続する度に、前記冷媒回収口及び回収経路側バルブの間を前記真空ポンプにより予定の真空度に達するまで真空引きを行い、その後冷媒回収を開始する回収冷媒再利用装置。
【請求項６】
請求項３において、前記回収冷媒が一時貯蔵される貯蔵タンクに上限と下限のフロートスイッチが設けられ、回収された冷媒量が上限に達すると回収冷媒が一時貯蔵されている貯蔵タンク側のバルブが開き、冷媒封入機に回収冷媒を供給し、下限に達すると回収冷媒が一時貯蔵されている貯蔵タンク側のバルブが閉じ、バージン冷媒側のバルブが開き、バージン冷媒を冷媒封入機に供給する回収冷媒再利用装置。
【請求項７】
請求項６において、回収冷媒が一時貯蔵される貯蔵タンクの上限フロートスイッチ作動タイミングは、貯蔵タンク内容積の約９０％、回収冷媒が一時貯蔵される貯蔵タンク下限のフロートスイッチ作動タイミングは、貯蔵タンク内容積の約３０％で制御する回収冷媒再利用装置。
【発明の詳細な説明】
【０００１】
【発明の属する技術分野】
本発明は、冷凍機器等に使用されている冷媒であるフロンガスの回収及び再利用するための冷媒回収再利用方法及び装置に関するものである。
【０００２】
【従来の技術】
従来、冷凍機器等の冷媒としては、オゾン破壊係数の高いＣＦＣ系のＲ−１２、Ｒ−１２とＲ１５２ａの混合冷媒であるＲ−５００や、オゾン破壊係数は低いが地球温暖化係数の高いＨＣＦＣ系のＲ−２２等が使用されていた。しかし、地球環境保護の観点から、例えば、特開平１１−６３７４３号公報に記載されているように、これらに替わる代替冷媒として、オゾン層破壊物質である塩素基を持たないＨＦＣ系のＲ−１３４ａ、Ｒ−１２５とＲ−３２の混合冷媒であるＲ−４１０Ａ等に切り替えてきている。現在、これらの冷媒を用いた家庭用冷蔵庫、エアーコンディショナー等の寿命等による買い替えにより回収され、本体に充填されている冷媒の回収が必要である。また、製品の製造過程においても、冷媒の回収を実施している。これら回収された冷媒は、オゾン層保護法、地球温暖化防止法により、各社、自主規制を行い、通常、ボンベ等に回収し、処理業者に委託して有償にて破壊処理を行っている。そこで、冷媒回収機の開発や冷媒の再利用技術の検討を行っている。
【０００３】
【特許文献１】
特開平１１−６３７４３号公報（第４頁００２８段落）
【０００４】
【発明が解決しようとする課題】
本発明に係る再利用対象回収冷媒は、製品の製造工程内の治具や、冷媒封入装置の管理に使用する容器等に充填されている擬似共沸冷媒である。単一冷媒でも使用可能である。これら回収された冷媒は、オゾン層保護法、地球温暖化防止法により、各社、自主規制を行い、通常、ボンベ等に回収し、処理業者に委託して有償にて破壊処理を行っている。しかし、擬似共沸冷媒であるＲ４１０Ａ等を再利用するためには、冷媒の組成等の品質基準を確保出来る冷媒回収再利用の方法、装置を確立する必要がある。
【０００５】
本発明の目的は、擬似共沸冷媒であるＲ４１０Ａ等を再利用するためには、冷媒の組成等の品質基準を確保出来る冷媒回収再利用の方法、装置を確立することにある。
【０００６】
【課題を解決するための手段】
上記目的は、回収対象冷媒が封入された容器に接続する冷媒回収口と、この回収対象冷媒が封入された容器から回収された冷媒を貯蔵する回収冷媒貯蔵タンクと、バージン冷媒を貯蔵するバージン冷媒貯蔵タンクとを有し、冷媒封入対象製品に対して、前記回収冷媒貯蔵タンクからの冷媒のみを封入するか、前記回収冷媒貯蔵タンクからの冷媒及び前記バージン冷媒貯蔵タンクからの冷媒を封入するか、前記バージン冷媒貯蔵タンクからの冷媒のみを封入するか選択可能とすることにより達成される。
【０００７】
また、上記目的は、回収対象冷媒が封入された容器に接続する冷媒回収口と、この回収対象冷媒が封入された容器から回収された冷媒を貯蔵する回収冷媒貯蔵タンクと、バージン冷媒を貯蔵するバージン冷媒貯蔵タンクとを有し、冷媒封入対象製品に対して、前記回収冷媒貯蔵タンク及び前記バージン冷媒貯蔵タンクの少なくとも一方の冷媒を封入する手段を備えることにより達成される。
【０００８】
さらに、上記目的は、回収対象冷媒が封入されている容器に冷媒回収口を介して接続された回収ポンプと、この回収冷媒を液化させる冷却手段と、液化した冷媒を一時保管する貯蔵タンクと、バージン冷媒を貯蔵するバージン冷媒タンクと、冷媒封入対象製品に冷媒を封入する冷媒封入器とを有し、前記貯蔵タンクと前記冷媒封入機との間に設けられたバルブと、前記バージン冷媒タンクと前記冷媒封入機との間に設けられたバルブとを備えることにより達成される。
【０００９】
【発明の実施の形態】
オゾン層保護法、地球温暖化防止法により、各社、自主規制を行い、冷媒としてフロンを用いた家庭用冷蔵庫、エアーコンディショナー等の寿命等による買い替えにより回収され、本体に充填されている冷媒の回収、また、製品の製造過程においても、冷媒の回収を実施している。これらの冷媒は、通常、ボンベ等に回収し、処理業者に委託して有償にて破壊処理を行っている。本発明の一実施例に係る再利用対象回収冷媒は、製品の製造工程内の治具や、冷媒封入装置の管理に使用する容器等に充填されている擬似共沸冷媒である。単一冷媒でも使用可能である。
【００１０】
図１は、冷媒回収再利用装置及び構造の説明図である。大きく分けて、バルブ６、真空計７、真空ポンプ８から構成される真空引き経路１と、バルブ９、ストレーナ１０、回収ポンプ１１、ストレーナ１２、圧送ポンプ１３、オイルセパレータ１４、逆止弁１５、冷却機１６、貯蔵タンク（回収冷媒用）１７、逆止弁１９、バルブ２０から構成される冷媒回収経路２と、バージン冷媒タンク２１、バルブ２２から構成されるバージン冷媒経路３とから成り立っている。製品の製造工程内の治具や、冷媒封入装置の管理に使用する容器等に充填されている回収対象物（冷媒はＲ４１０Ａ）を本発明の冷媒回収再利用装置の接続口５に接続する。回収対象物の本装置への接続に際して、カプラーを使用しており、約５ｃｃ程度の空気が混入するため、冷媒及び冷凍機油への悪影響を防止する為に、自動で、真空引き回路側のバルブ６を開き、接続時に混入する空気を除去して、規定の真空度に達した時点で、真空引き回路側のバルブ６を閉じ、冷媒回収経路側のバルブ９を開き、冷媒回収を開始する。その冷媒は、回収ポンプ１１により、装置に吸引され、更に、圧送ポンプ１３を介して冷却機１６により冷媒を液化した後、貯蔵タンク（回収冷媒用）１７に供給される。回収ポンプ１１のみで回収すると、貯蔵タンク（回収冷媒用）１７の内圧が約２ＭＰａに達すると回収時間も長くなり、回収率も減少する。貯蔵タンク（回収冷媒用）上限である内容積の約９０％まで冷媒が充填されると、通常、冷媒封入機に供給しているバージン冷媒経路３のバルブ２２が閉じて、回収冷媒経路２のバルブ２０が開き、移送ポンプ１８により、回収冷媒が冷媒封入機に供給される。供給を続け、貯蔵タンク（回収冷媒用）下限である内容積の約３０％まで冷媒が減少すると、回収冷媒経路２のバルブ２０が閉じて、バージン冷媒経路３のバルブ２２が開き、バージン冷媒が冷媒封入機に供給される。擬似共沸冷媒であるＲ−４１０Ａを対象としているため、貯蔵タンク（回収冷媒用）下限を内容積の約３０％としている。図２が、本発明の装置で冷媒を回収した場合の回収冷媒を一時貯蔵する為の貯蔵タンク内の擬似共沸冷媒であるＲ−４１０Ａの組成変化である。図３が、本発明の装置で冷媒を使用した場合の回収冷媒を一時貯蔵する為の貯蔵タンク内の擬似共沸冷媒であるＲ−４１０Ａの組成変化である。
【００１１】
以上本実施例によれば、冷媒回収再利用方法及び装置により、冷媒回収タクトアップ、回収率を向上させることが出来る。また、製品の製造工程内の治具や、冷媒封入装置の管理に使用する容器等に充填されている擬似共沸冷媒を再利用がする事が出来、地球環境保護の面から見ても有効であり、同時に、材料費低減、処分費用の削減も可能となる。
【００１２】
【発明の効果】
以上本発明によれば、擬似共沸冷媒であるＲ４１０Ａ等を再利用するための、冷媒の組成等の品質基準を確保出来る冷媒回収再利用の方法、装置を確立することができる。
【図面の簡単な説明】
【図１】冷媒回収再利用装置及び構造の説明図である。
【図２】本発明の一実施例に係る装置における冷媒回収時の貯蔵タンク内回収冷媒量と組成変化のデータである。（冷媒：Ｒ４１０Ａ）
【図３】本発明の一実施例に係る装置における冷媒使用時の貯蔵タンク内回収冷媒量と組成変化のデータである。（冷媒：Ｒ４１０Ａ）
【符号の説明】
１…真空引き経路、２…回収冷媒経路、３…バージン冷媒経路、４…回収対象物、５…冷媒回収口、６…バルブ（真空引き経路側）、７…真空計、８…真空ポンプ、９…バルブ（回収冷媒経路の入口側）、１０…ストレーナ、１１…回収ポンプ、１２…ストレーナ、１３…圧送ポンプ、１４…オイルセパレータ、１５…逆止弁、１６…冷却機、１７…貯蔵タンク（回収冷媒用）、１８…移送ポンプ、１９…逆止弁、２０…バルブ（回収冷媒経路出口側）、２１…貯蔵タンク（バージン冷媒用）、２２…バルブ（バージン冷媒経路側）、２３…冷媒封入機本体、２４…冷媒封入ガン、２５…冷媒封入対象製品。
【図１】
2004177069.tif 000003
【図２】
2004177069.tif 000004
【図３】
2004177069.tif 000005